(57)【特許請求の範囲】
【請求項１】
挿入装置及び該挿入装置が挿抜可能な被挿入装置を備える電子機器であって、
前記挿入装置が、前記被挿入装置から抜き出された後、電荷の放電に一定時間を要する電子部品を備えるブレード型コンピュータで構成されるとともに、
前記挿入装置が前記被挿入装置に挿入された状態で、該挿入装置に電力供給可能な電力供給手段と、
前記被挿入装置に挿入された前記挿入装置の抜き出しを検知する抜出検知手段と、
前記抜出検知手段の検知に基づいて、前記電力供給手段から前記挿入装置への電力の供給及び非供給を制御する電力供給制御手段と、
前記抜出検知手段が前記挿入装置の抜き出し有りを検知したときに、所定時間を計時する計時手段と、を備え、
前記電力供給制御手段が、
前記抜出検知手段が前記挿入装置の抜き出し有りを検知したときに、前記電力供給手段から前記挿入装置に供給される電力を遮断する電力遮断手段と、
前記計時手段により所定時間が計時された後に、前記電力遮断手段による電力の遮断を解除する遮断解除手段と、を備える電子機器。
【請求項２】
前記電力供給制御手段が、前記被挿入装置側に備えられる前記電力遮断手段に電力の遮断及び／又は遮断の解除を実行させる所定の指示信号を出力する指示信号出力手段を備え、
前記挿入装置が、前記電力供給手段からの電力供給により所定の処理を行なう処理手段を備え、
前記電力遮断手段が、前記指示信号出力手段からの指示信号に基づいて、前記処理手段への電力の供給又は電力の遮断を実行する請求項１記載の電子機器。
【請求項３】
挿入装置及び該挿入装置が挿抜可能な被挿入装置を備える電子機器における前記挿入装置が、前記被挿入装置に挿入されたときに、前記被挿入装置が前記挿入装置に供給する電力の電力供給方法であって、
前記挿入装置が、前記被挿入装置から抜き出された後、電荷の放電に一定時間を要する電子部品を備えるブレード型コンピュータで構成される場合に、
前記被挿入装置に挿入された前記挿入装置の抜き出しを検知する抜出検知ステップと、
前記抜出検知ステップによる前記挿入装置の抜き出しの検知に基づいて、前記電力供給手段から前記処理手段への電力の供給及び非供給を制御する電力供給制御ステップと、
前記抜出検知ステップにより前記挿入装置の抜き出し有りを検知したときに、所定時間を計時する計時ステップと、を有し、
前記電力供給制御ステップが、
前記抜出検知ステップにおいて、前記挿入装置の抜き出し有りを検知したときに、前記挿入装置に供給される電力を遮断する電力遮断ステップと、
前記計時ステップにより所定時間が計時された後に、前記電力遮断ステップによる電力の遮断を解除する遮断解除ステップと、を含む電力供給方法。
【請求項４】
挿入装置及び該挿入装置が挿抜可能な被挿入装置を備える電子機器における前記挿入装置が、前記被挿入装置に挿入されたときに、前記被挿入装置が前記挿入装置に供給する電力供給手段を備えた電力供給装置であって、
前記挿入装置が、前記被挿入装置から抜き出された後、電荷の放電に一定時間を要する電子部品を備えるブレード型コンピュータで構成されるとともに、
前記被挿入装置に挿入された前記挿入装置の抜き出しを検知する抜出検知手段と、
前記抜出検知手段の検知に基づいて、前記電力供給手段から前記挿入装置への電力の供給及び非供給を制御する電力供給制御手段と、
前記抜出検知手段が前記挿入装置の抜き出し有りを検知したときに、所定時間を計時する計時手段と、を備え、
前記電力供給制御手段が、
前記抜出検知手段が前記挿入装置の抜き出し有りを検知したときに、前記電力供給手段から前記挿入装置に供給される電力を遮断する電力遮断手段と、
前記計時手段により所定時間が計時された後に、前記電力遮断手段による電力の遮断を解除する遮断解除手段と、を備える電力供給装置。
【発明の詳細な説明】
【技術分野】
【０００１】
本発明は、例えば、ブレード等の挿入装置と、挿入装置が挿入される筐体等の非挿入装置とを備えるコンピュータなどの電子機器、この電子機器の被挿入装置が挿入装置に供給する電力の電力供給方法及び電力供給装置に関する。
【背景技術】
【０００２】
一般に、コンピュータなどの電子機器において、電源を入れたまま、パーツやケーブルの装着及び交換が可能な、いわゆるホットプラグ、ホットスワップ、活栓挿抜などといわれる技術がある。
この技術は、特に、サーバなどの連続稼動要求のあるコンピュータシステムに用いられている。
このコンピュータシステムは、例えば、いわゆるブレードサーバなど、筐体に一又は二以上のブレード型コンピュータが挿入されて用いられるもので、ブレードに障害が発生したときに、コンピュータシステム全体を停止することなく、ブレードの入れ替えを行なうことができる。
【０００３】
この種のコンピュータシステムとしては、例えば、特許文献１記載の技術が提案されている。
特許文献１に記載のコンピュータは、ブレード及びブレードが接続されるバックプレーンを備えている。
また、ブレードは、バックプレーンを介して供給される電源ラインに接続された大容量キャパシタと、電源ラインと大容量キャパシタとの少なくとも一方から電源供給を受けて動作するＣＰＵとを有している。
【０００４】
【特許文献１】特開２００６−２６０３２７号公報
【発明の開示】
【発明が解決しようとする課題】
【０００５】
しかしながら、このようなコンピュータシステムにあっては、ブレードなどの挿入装置に、コンデンサが備えられており、例えば、挿入装置を、筐体やバックプレーン等の被挿入装置から抜き出した直後に再挿入すると、コンデンサの放電が不完全な状態で通電されてしまうので、挿入装置のパワーオンリセットが正常に動作せずに、挿入装置が誤作動を起こしてしまうおそれがあった。
特に、ブレード型コンピュータを用いたコンピュータシステムにおいては、ブレード交換後などにおいて、ブレード側のコネクタとバックプレーン側のコネクタの嵌合不良が疑われるような場合に、ブレードがバックプレーンに対して抜出及び挿入されるときは、ブレードが抜き出された後にコンデンサを十分に放電させる時間をとってから再挿入しなければならず、メンテナンス作業が煩雑であるという問題があった。
【０００６】
本発明は、以上のような従来の技術が有する問題を解決するために提案されたものであり、挿入装置が非挿入装置から抜き出した直後に再挿入されても、挿入装置の誤作動を生じにくくし、メンテナンス作業を容易に行なうことができるようにした電子機器、この電子機器における電力の電力供給方法及び電力供給装置の提供を目的とする。
【課題を解決するための手段】
【０００７】
上記目的を達成するため、本発明の電子機器は、挿入装置及び該挿入装置が挿抜可能な被挿入装置を備える電子機器であって、前記挿入装置が前記被挿入装置に挿入された状態で、該挿入装置に電力供給可能な電力供給手段と、前記被挿入装置に挿入された前記挿入装置の抜き出しを検知する抜出検知手段と、前記抜出検知手段の検知に基づいて、前記電力供給手段から前記挿入装置への電力の供給及び非供給を制御する電力供給制御手段とを備えている。
【０００８】
また、本発明の電力供給方法は、挿入装置及び該挿入装置が挿抜可能な被挿入装置を備える電子機器において、前記挿入装置が、前記被挿入装置に挿入されたときに、前記被挿入装置が前記挿入装置に供給する電力の電力供給方法であって、前記被挿入装置に挿入された前記挿入装置の抜き出しを検知する抜出検知ステップと、前記抜出検知ステップによる前記挿入装置の抜き出しの検知に基づいて、前記電力供給手段から前記処理手段への電力の供給及び非供給を制御する電力供給制御ステップとを含む構成としている。
【発明の効果】
【０００９】
本発明の電子機器、電力供給方法及び電力供給装置によれば、挿入装置が非挿入装置から抜き出された直後に再挿入しても、挿入装置の誤作動を生じにくくすることができ、メンテナンス作業を容易に行なうことができる。
【発明を実施するための最良の形態】
【００１０】
以下、本発明に係る電子機器、電力供給方法及び電力供給装置の好ましい実施形態について、図１〜図２を参照しつつ説明する。
図１には、本発明の一実施形態に係る電子機器の概略構成図を示している。
図２には、本発明の一実施形態に係る電子機器の斜視図を示している。
【００１１】
本実施形態にかかる電子機器は、コンピュータシステムであって、電力が供給されて所定の処理を行なう処理手段を備える挿入装置及び挿入装置が挿抜可能な被挿入装置を備えている。
挿入装置は、ブレード１（ブレード型コンピュータ）で構成されている。
ブレード１は、処理手段として、ＣＰＵ、メモリなどを含むブレード回路１０を備えている。
また、ブレード１には、被挿入装置に挿入されたときに、被挿入装置側に嵌合するブレード側コネクタ１２を備えている。
【００１２】
被挿入装置は、ブレード１が挿入及び抜出可能な複数の挿入部を備える筐体２で構成されている。
筐体２には、ブレード側コネクタ１２が、着脱可能に嵌合するバックプレーン側コネクタ３４を有したバックプレーン３３が備えられている。ブレード側コネクタ１２は、各挿入部に対応して一つずつ設けられている。
また、バックプレーン３３には、挿入されたブレード１の管理等を行なう筐体管理装置３が備えられている。
【００１３】
コンピュータシステムは、ブレード１が筐体２に挿入された状態で、ブレード１に電力供給可能な電力供給手段と、筐体２に挿入されたブレード１の抜き出しの有無を検知する抜出検知手段と、抜出検知手段の検知に基づいて、電力供給手段からブレード１のブレード回路１０への電力の供給及び非供給を制御する電力供給制御手段とを備えている。
【００１４】
電力供給手段は、例えば、図示しない商用電源を、所定の直流電力に変換する電源２０で構成されている。
電源２０は、バックプレーン３３を介して、複数の挿入部のそれぞれに対応したバックプレーン側コネクタ３４に接続されている。
抜出検知手段は、筐体管理装置３に備えられる挿抜検出装置３１で構成されている。
挿抜検出装置３１は、ブレード１の抜き出し及び挿入を検知する機能を備えている。
挿抜検出装置３１は、例えば、物理的なスイッチにより、ブレード１の挿入状態及び抜き出し状態を検知している。
【００１５】
電力供給制御手段は、挿抜検出装置３１がブレード１の抜き出し有りを検知したときに、電源２０からブレード回路１０に供給される電力を遮断する電力遮断手段を備えている。
電力遮断手段は、ブレード１側に備えられる電力遮断装置１１で構成されている。
電力遮断装置１１は、ブレード側コネクタ１２とブレード回路１０との間に介装されている。
また、電力遮断装置１１は、後述の指示信号出力手段からの指示信号に基づいて、ブレード回路１０への電力の供給又は電力の遮断を実行可能な構成としている。
電力遮断装置１１、電力の供給状態においては、電源２０からの電力をブレード回路１０に送出し、電力の遮断の実行状態においては、電源２０からの電力を遮断する。
【００１６】
また、電力供給制御手段は、ブレード１側に備えられる電力遮断装置１１に電力の遮断及び／又は遮断の解除を実行させる所定の指示信号を出力する指示信号出力手段を備えている。
指示信号出力手段は、筐体管理装置３の電力遮断指示装置３０で構成されている。
電力遮断指示装置３０は、挿抜検出装置３１と、バックプレーン側コネクタ３４及びブレード側コネクタ１２を介して電力遮断装置１１とに接続されている。
電力遮断指示装置３０は、挿抜検出装置３１が、ブレード１が挿入状態から抜き出されたことを検知したときに、指示信号として、電力遮断装置１１に所定の遮断指示信号を送信する。
そして、この遮断指示信号を送信することにより、電力遮断装置１１に遮断動作を実行させる。
【００１７】
また、電力供給制御手段は、ブレード１の抜き出し有りを検知したときに、所定時間を計時する計時手段と、計時手段により所定時間が計時された後に、電力遮断手段による電力の遮断を解除する遮断解除手段とを備えている。
【００１８】
計時手段は、時間待ち装置３２で構成されている。
時間待ち装置３２は、挿抜検出装置３１に接続されている。
時間待ち装置３２は、ブレード１が挿入状態から抜き出されたことを、挿抜検出装置３１が検知すると、所定の待ち時間を計時する。待ち時間は、本実施形態において、例えば、１５秒である。
【００１９】
この遮断解除手段は、電力遮断指示装置３０で構成されている。
電力遮断指示装置３０は、電力遮断装置１１に電力の遮断を行なわせるときには、電力遮断指示信号を出力し続ける。
また、電力遮断指示装置３０は、時間待ち装置３２が計時した待ち時間の後に、遮断解除手段の機能を実行する。この際、電力遮断指示装置３０は、電力遮断指示信号の出力を停止する。
【００２０】
次に、以上のような構成からなる本実施形態のコンピュータシステムの動作について、図３を参照しつつ説明する。
図３には、本実施形態に係るコンピュータシステムの筐体管理装置３の動作を示すフローチャート図を示している。
筐体管理装置３は、電源２０が入れられると挿抜検出装置３１により、挿入部に挿入されるブレード１の監視を行なう（Ｓ１−１，図１（ａ））。
【００２１】
本実施形態のコンピュータシステムは、予め、筐体２に所望の数のブレード１を挿入する。
コンピュータシステムのブレード１は、そのブレード回路１０に、筐体２の電源２０から電源２０が供給されるので、所定の演算処理を実行することが可能となる。
筐体管理装置３は、ブレード１の抜き出しがない状態では、監視状態を継続する（Ｓ１−２Ｎ，Ｓ１−１）。
【００２２】
次に、管理者が、ブレード１のメンテナンスや、ブレード１自体の交換、追加を行なう場合には以下のようになる。
この際、例えば、ブレード１を追加するために、新たなブレード１を筐体２の挿入部に挿入したときにおいて、このブレード１のブレード側コネクタ１２と、バックプレーン３３のバックプレーン側コネクタ３４との嵌合不良が疑われる場合には、管理者が、ブレード１を筐体２から抜き出し（図１（ｂ））、その直後に、再び、ブレード１を筐体２に挿入する。
【００２３】
この際、筐体管理装置３は、挿抜検出装置３１がブレード１が抜き出されたことを検知すると（Ｓ１−２Ｙ）、時間待ち装置３２が、待ち時間を計時するとともに（Ｓ１−３）、電力遮断指示装置３０が、対応する挿入部のコネクタ側に、電力遮断指示信号を出力する（Ｓ１−４）。
この際、電力遮断装置１１は、バックプレーン側コネクタ３４及びブレード側コネクタ１２を介して電力遮断指示信号を受信しているので、電力遮断装置１１が、電源２０から供給される電力を遮断する。
電力遮断指示信号は、待ち時間の計時が終わるまで、電力遮断指示信号を出力し続ける（Ｓ１−５Ｎ）。
【００２４】
そして、時間待ち装置３２が、所定時間の計時を終えると（Ｓ１−５Ｙ）、電力遮断指示装置３０が、電力遮断指示信号の出力を停止する（Ｓ１−６）。
この際、電力遮断装置１１が、電力遮断指示信号を受信しないので、電力遮断装置１１が、電源２０から供給される電力の遮断を解除する。
そのため、電源２０からの電力が、管理者により抜き差しが行なわれたブレード１のブレード回路１０に供給される。
その後、筐体管理装置３は、再び、ブレード１の挿入状態から抜き出しの監視を行なう（Ｓ１−１）。
【００２５】
以上説明したように、本実施形態に係る電子機器によれば、挿入装置であるブレード１が、非挿入装置である筐体２から抜き出された直後に再挿入されても、挿抜検出装置３１の検知に基づいて、電力供給制御手段が、ブレード回路１０への電力を、供給及び非供給の制御を行なうので、ブレード回路１０に不用意に電力が供給される事態が防止されるようになる。
これにより、ブレード回路１０側のコンデンサに電荷が残った状態での電力の供給が防止されるようになり、ブレード１のブレード回路１０の誤作動が生じにくくなる。そのため、管理者が、メンテナンス作業を容易に行なうことができる。
【００２６】
また、電力供給制御手段が、電力遮断装置１１（電力遮断手段）を備えているので、挿抜検出装置３１が、ブレード１の抜き出しを検出したときに、ブレード１に供給される電力を確実に遮断することができる。
そのため、ブレード回路１０のコンデンサなどが放電を確実に行うことができるようになり、電力供給再開後に確実に初期化を実現することができる。
【００２７】
また、電力供給制御手段が、電力遮断手段である電力遮断装置１１が、電力の遮断を解除する遮断解除手段を備えているので、ブレード回路１０への電力の供給及び非供給を確実に行なうことができる。
また、時間待ち装置３２が、所定の待ち時間を計時した後に、電力遮断指示装置３０が、電力遮断指示信号を停止するので、確実にブレード１側の電力遮断装置１１が、ブレード回路１０のコンデンサの電荷が放電した後に、ブレード回路１０に電力を供給できるようになる。
【００２８】
また、電力遮断装置１１の電力の遮断が、時間待ち装置３２が計時した待ち時間の後に自動で解除されるので、ブレード回路１０のコンデンサが十分に放電されてから、ブレード回路１０に自動的に電力が供給される。
これにより、管理者が、ブレード１を挿入部から抜き差した直後に再び挿入しても、電力供給再開後に、ブレード１を挿入部に挿入したままの状態でも自動的に、電力の供給が再開されるので、管理者のメンテナンス作業を容易にすることができる。
【００２９】
以上、本発明の電子機器、電力供給方法及び電力供給装置について、好ましい実施形態を示して説明したが、本発明に係る装置は、上述した実施形態にのみ限定されるものではなく、本発明の範囲で種々の変更実施が可能であることは言うまでもない。
例えば、電力遮断指示装置が、指示信号としての遮断指示信号を出力するようにし、遮断指示信号の受信中に電力遮断装置が電力の遮断を実行する構成としたが、これに限定されるものでなく、指示信号の受信中に電力の遮断を解除する構成としてもよい。
【００３０】
また、抜出検出手段が、ブレードの抜き出し状態及び挿入状態を検出する物理的なスイッチである構成としたが、これに限定されるものでなく、例えば、ブレード側に、ブレードがバックプレーン及びコネクタを介して電源から電力の供給を受けると、所定の信号を出力する監視回路を設け、筐体管理装置の挿抜検出装置が、監視回路から出力された信号に応じてブレードの抜き出し状態及び挿入状態を検出する構成としてもよい。
また、挿入装置が、ブレードであり、被挿入装置がこれの筐体である構成としたがこれに限定されるものでなく、例えば、被挿入装置の機能を拡張するような、通信カードなどであってもよく、適宜設計変更して差支えない。
【図面の簡単な説明】
【００３１】
【図１】本発明の一実施形態に係る電子機器を示す概略構成図であって、（ａ）はブレードが挿入された状態、（ｂ）は、ブレードが抜き出された状態をそれぞれ示す図である。
【図２】本発明の一実施形態に係る電子機器を示す斜視図である。
【図３】本発明の一実施形態に係る電子機器において、筐体管理装置の動作を示すフローチャート図である。
【符号の説明】
【００３２】
１  ブレード
１０  ブレード回路
１１  電力遮断装置
１２  ブレード側コネクタ
２  筐体
２０  電源
３  筐体管理装置
３０  電力遮断指示装置
３１  挿抜検出装置
３２  時間待ち装置
３３  バックプレーン
３４  バックプレーン側コネクタ
【図１】
0005061954.tif 000002
【図２】
0005061954.tif 000003
【図３】
0005061954.tif 000004